(57)【要約】【課題】  障害物に衝突したときの衝撃を弱めるとともに、排気を緩やかに排出することのできるバンパーを具えた電気掃除機を提供する。【解決手段】 掃除機本体12の内部に、集塵ケース14及びモータ16を具えた電気掃除機において、掃除機本体12の周面の少なくとも一部には、通気性を有し、排気の供給により膨出するバンパー30を有しており、該バンパー30に集塵ケース14からの排気を導くようにしている。【選択図】  図２
2006061348.tif 000002
【特許請求の範囲】
【請求項１】
掃除機本体(12)の内部に、集塵ケース(14)及びモータ(16)を具えた電気掃除機において、
掃除機本体(12)の周面の少なくとも一部には、通気性を有し、排気の供給により膨出するバンパー(30)を有しており、
該バンパー(30)に集塵ケース(14)からの排気を導くようにしていることを特徴とする電気掃除機。
【請求項２】
バンパー(30)は、繊維材から構成される請求項１に記載の電気掃除機。
【請求項３】
バンパー(30)は、弛んだ状態で掃除機本体(12)に取り付けられ、排気の供給により膨出する請求項１又は請求項２に記載の電気掃除機。
【請求項４】
バンパー(30)は、掃除機本体(12)の側面に設けられる請求項１乃至請求項３の何れかに記載の電気掃除機。
【請求項５】
バンパー(30)は、掃除機本体(12)の上面に設けられる請求項１乃至請求項４の何れかに記載の電気掃除機。
【請求項６】
バンパー(30)は、掃除機本体(12)の底面に設けられる請求項１乃至請求項５の何れかに記載の電気掃除機。
【請求項７】
バンパー(30)は、掃除機本体(12)の後部に設けられる請求項１乃至請求項６の何れかに記載の電気掃除機。
【請求項８】
掃除機本体(12)には、車輪(20)(20)を有しており、バンパー(30)は、車輪(20)(20)に設けられる請求項１乃至請求項７の何れかに記載の電気掃除機。
【発明の詳細な説明】
【技術分野】
【０００１】
本発明は、障害物に衝突したときの衝撃を弱めると共に、排気を緩やかに排出することのできるバンパーを具えた電気掃除機に関するものである。
【背景技術】
【０００２】
電気掃除機は、掃除機本体が家具や柱等の障害物に衝突したときの衝撃を和らげるために、その幅を広くしたり、材質硬度を柔らかくするなどしている。
また、樹脂製のバンパーの内部に掃除機の排気を供給し、排気の熱によってバンパーを柔らかくした掃除機もある(例えば、特許文献１参照)
【０００３】
【特許文献１】特開平５−３４４９３９号公報
【発明の開示】
【発明が解決しようとする課題】
【０００４】
しかしながら、樹脂製のバンパーは電気掃除機の重量化に繋がると共に、電源投入直後や室温が低い状態では、樹脂が柔らかくならず、衝撃緩衝効果が十分ではなかった。
また、掃除機からの排気は、バンパーに設けられた孔から行われているが、流動抵抗が大きく、スムーズな排気を行なうことが難しかった。
【０００５】
本発明の目的は、障害物に衝突したときの衝撃を弱めるとともに、排気を緩やかに排出することのできるバンパーを具えた電気掃除機を提供することである。
【課題を解決するための手段】
【０００６】
上記課題を解決するために、本発明の電気掃除機は、掃除機本体の内部に、集塵ケース及びモータを具えた電気掃除機において、
掃除機本体の周面の少なくとも一部には、通気性を有し、排気の供給により膨出するバンパーを有しており、
該バンパーに集塵ケースからの排気を導くようにしている。
【発明の効果】
【０００７】
本発明の電気掃除機によれば、掃除機本体の周面に、排気の供給により膨出するバンパーを有しているから、掃除機本体が、家具や柱等の障害物に当たったときの衝撃を緩衝することができる。
また、バンパーを通気性を有する材料から構成しており、排気をバンパーから排出するようにしているので、排気は穏やかに排出される。従って、排気を直接排気口から排出するものに比べて不快感が少なく、また、排気によって埃が舞い上がることもない。
【発明を実施するための最良の形態】
【０００８】
図１は、本発明の電気掃除機(10)の斜視図である。電気掃除機(10)は、図１に示すように、内部に集塵ケース(14)及びモータ(16)等が配備された掃除機本体(12)と、該掃除機本体(12)の吸気口(18)に接続された可撓性ホース(50)、可撓性ホース(50)の先端に接続された延長管(52)及び延長管(52)の先端に接続された吸引用アタッチメント(54)を具える。可撓性ホース(50)、延長管(52)及び吸引用アタッチメント(54)は、着脱可能となっている。
掃除機本体(12)の前方上部には、図１に示すように、集塵ケース(14)を着脱するための蓋体(12a)が開閉可能に支持されている。
掃除機本体(12)の後方両側及び下面に走行用の車輪(20)(20)(24)を具える。左右の車輪(20)(20)は大径であり、下面の車輪(24)は、旋回用の小径車輪である(例えば、図３参照)。
本発明は、掃除機本体(12)の適所に通気性を有し排気によって膨出するバンパー(30)を設けたことを特徴とするものである。以下、バンパー(30)を掃除機本体(12)に取り付けた実施例について説明する。
【実施例１】
【０００９】
＜側面にバンパーを形成した実施例＞
掃除機本体(12)の横断面図２に示すように、掃除機本体(12)は、前方側面に排気口(13)(13)が開設されており、該排気口(13)(13)から掃除機本体(12)の内部に吸引された空気が排出されるようになっている。
排気口(13)(13)には、図２乃至図５に示すように、排気口(13)(13)を覆うようにバンパー(30)(30)が取り付けられている。バンパー(30)(30)は、通気性を有し、排気の圧力によって外側に向けて膨出する材質を用いる。例えば、布や不織布等の繊維材を例示できる。
バンパー(30)(30)は、膨出可能となるように、掃除機本体(12)に対して余裕をもって弛んだ状態で取り付けられることが望ましい。また、バンパー(30)(30)を袋状に形成してもよい。
バンパー(30)(30)は、膨出により、掃除機本体(12)から３ｃｍ以上、好ましくは５ｃｍ以上出っ張るようにすることが望ましい。
バンパー(30)(30)の出っ張り量を大きく採ることによって、バンパー(30)(30)の衝撃緩衝効果を高めることができる。
【００１０】
モータ(16)を駆動させると、掃除機本体(12)に吸引された空気は、集塵ケース(14)を通過してゴミが除去され、排気口(13)に導かれる。排気口(13)から排出された排気は、バンパー(30)を膨出させると共に、外部に排出される。
本実施例によれば、バンパー(30)(30)は、掃除機本体(12)の前方側面に設けられているから、可撓性ホース(50)を使用者が引っ張ることにより掃除機本体(12)が家具や柱等に衝突しても、バンパー(30)(30)の緩衝効果によって衝撃が緩和される。
また、バンパー(30)は、排気口(13)に比べて表面積が大きいので、排気はバンパー(30)を通過することによって緩やかに排出され、排気が直接使用者等に当たって不快感を感じたり、ゴミ等が舞い上がることもない。
【実施例２】
【００１１】
＜上面にバンパーを形成した実施例＞
掃除機本体(12)の縦断面図６に示すように、掃除機本体(12)の上面、例えば蓋体(12ａ)には、上面に排気口(13)が開設されており、該排気口(13)から掃除機本体(12)の内部に吸引された空気が排出されるようになっている。
排気口(13)には、図６乃至図９に示すように、排気口(13)を覆うようにバンパー(30)が取り付けられている。バンパー(30)の材質は上記と同様のものを用いることができる。
バンパー(30)は、膨出可能となるように、掃除機本体(12)に対して余裕をもって弛んだ状態で取り付けられることが望ましい。また、バンパー(30)を袋状に形成してもよい。
バンパー(30)は、膨出により、掃除機本体(12)から３ｃｍ以上、好ましくは５ｃｍ以上出っ張るようにすることが望ましい。
バンパー(30)の出っ張り量を大きく採ることによって、バンパー(30)の衝撃緩衝効果を高めることができる。
【００１２】
モータ(16)を駆動させると、掃除機本体(12)に吸引された空気は、集塵ケース(14)を通過してゴミが除去され、排気口(13)に導かれる。排気口(13)から排出された排気は、バンパー(30)を膨出させると共に、外部に排出される。
本実施例によれば、バンパー(30)は、掃除機本体(12)の上面に設けられているから、落下物等が掃除機本体(12)に当たっても、バンパー(30)の緩衝効果によって衝撃が緩和される。
また、バンパー(30)は、排気口(13)に比べて表面積が大きいので、排気はバンパー(30)を通過することによって緩やかに排出され、排気が直接使用者等に当たって不快感を感じたり、ゴミ等が舞い上がることもない。特に、上面からの排気を行なうことにより、ゴミ等が舞い上がることを可及的に抑えることができる。
【実施例３】
【００１３】
＜底面にバンパーを形成した実施例＞
掃除機本体(12)の横断面図１０に示すように、掃除機本体(12)は、底面に排気口(13)(13)が開設されており、該排気口(13)(13)から掃除機本体(12)の内部に吸引された空気が排出されるようになっている。
排気口(13)には、図１０乃至図１３に示すように、排気口(13)及び掃除機本体(12)の底面の前部を覆うようにバンパー(30)が取り付けられている。バンパー(30)の材質は上記と同様のものを用いることができる。
バンパー(30)は、膨出可能となるように、掃除機本体(12)に対して余裕をもって弛んだ状態で取り付けられることが望ましい。また、バンパー(30)を袋状に形成してもよい。
バンパー(30)は、膨出により、掃除機本体(12)から３ｃｍ以上、好ましくは５ｃｍ以上出っ張るようにすることが望ましい。
バンパー(30)の出っ張り量を大きく採ることによって、バンパー(30)の衝撃緩衝効果を高めることができる。
【００１４】
モータ(16)を駆動させると、掃除機本体(12)に吸引された空気は、集塵ケース(14)を通過してゴミが除去され、排気口(13)に導かれる。排気口(13)から排出された排気は、バンパー(30)を膨出させると共に、外部に排出される。
本実施例によれば、バンパー(30)は、掃除機本体(12)の底面に設けられているから、段差等を乗り上げる際の衝撃をバンパー(30)の緩衝効果によって緩和することができる。
また、バンパー(30)は、排気口(13)に比べて表面積が大きいので、排気はバンパー(30)を通過することによって緩やかに排出され、排気が直接使用者等に当たって不快感を感じることもない。また、底面にバンパー(30)を設けることにより、バンパー(30)が床面等に接触して、拭き掃除の如き清掃効果を発揮し、床面等の清浄度を上げることができる。
【実施例４】
【００１５】
＜後部にバンパーを形成した実施例＞
掃除機本体(12)の横断面図１４に示すように、掃除機本体(12)は、上面に排気口(13)が開設されており、該排気口(13)から掃除機本体(12)の内部に吸引された空気が排出されるようになっている。
排気口(13)には、図１４乃至図１６に示すように、排気口(13)を覆うようにバンパー(30)が取り付けられている。バンパー(30)の材質は上記と同様のものを用いることができる。
バンパー(30)は、膨出可能となるように、掃除機本体(12)に対して余裕をもって弛んだ状態で取り付けられることが望ましい。また、バンパー(30)を袋状に形成してもよい。
バンパー(30)は、膨出により、掃除機本体(12)から３ｃｍ以上、好ましくは５ｃｍ以上出っ張るようにすることが望ましい。
バンパー(30)の出っ張り量を大きく採ることによって、バンパー(30)の衝撃緩衝効果を高めることができる。
【００１６】
モータ(16)を駆動させると、掃除機本体(12)に吸引された空気は、集塵ケース(14)を通過してゴミが除去され、排気口(13)に導かれる。排気口(13)から排出された排気は、バンパー(30)を膨出させると共に、外部に排出される。
本実施例によれば、バンパー(30)は、掃除機本体(12)の後部に設けられているから、掃除機本体(12)の後部が障害物に当たっても、バンパー(30)の緩衝効果によって衝撃が緩和される。
また、バンパー(30)は、排気口(13)に比べて表面積が大きいので、排気はバンパー(30)を通過することによって緩やかに排出され、排気が直接使用者等に当たって不快感を感じたり、ゴミ等が舞い上がることもない。特に、後部からの排気を行なうことにより、ゴミ等が舞い上がることを可及的に抑えることができる。
さらに、従来の掃除機の後部に設けられている排気口(13)に本発明の如きバンパー(30)を取り付けることもできる。
【実施例５】
【００１７】
＜車輪にバンパーを形成した実施例＞
掃除機本体(12)の横断面図１７に示すように、掃除機本体(12)は、中空の車軸(22)(22)によって左右の車輪(20)(20)が回動自在に取り付けられている。
車軸(22)(22)の中空部分は、排気口(13)(13)を兼ねており、掃除機本体(12)の内部と連通している。掃除機本体(12)の内部に吸引された空気が排気口(13)(13)から排出されるようになっている。
排気口(13)(13)には、図１７乃至図２０に示すように、排気口(13)(13)を覆うようにバンパー(30)(30)が取り付けられている。バンパー(30)(30)は、通気性を有し、排気の圧力によって外側に向けて膨出する材質を用いる。例えば、布や不織布を例示できる。
バンパー(30)(30)は、膨出可能となるように、車輪(20)に余裕をもって弛んだ状態で取り付けられることが望ましい。また、バンパー(30)(30)を袋状に形成してもよい。
バンパー(30)(30)は、膨出により、掃除機本体(12)から３ｃｍ以上、好ましくは５ｃｍ以上出っ張るようにすることが望ましい。
バンパー(30)(30)の出っ張り量を大きく採ることによって、バンパー(30)(30)の衝撃緩衝効果を高めることができる。
【００１８】
モータ(16)を駆動させると、掃除機本体(12)に吸引された空気は、集塵ケース(14)を通過してゴミが除去され、車軸(22)に設けられた排気口(13)に導かれる。排気口(13)から排出された排気は、バンパー(30)を膨出させると共に、外部に排出される。
本実施例によれば、バンパー(30)(30)は、車輪(20)(20)に設けられているから、可撓性ホース(50)を使用者が引っ張ることにより車輪(20)(20)が家具や柱等に衝突しても、バンパー(30)(30)の緩衝効果によって衝撃が緩和される。
また、バンパー(30)は、排気口(13)に比べて表面積が大きいので、排気はバンパー(30)を通過することによって緩やかに排出され、排気が直接使用者等に当たって不快感を感じたり、ゴミ等が舞い上がることもない。
【産業上の利用可能性】
【００１９】
本発明は、通気性を有し、排気によって膨出可能なバンパーを具えたことにより、障害物との衝突による衝撃を緩衝でき、また、排気を緩やかに排出できる電気掃除機として結うようである。
【図面の簡単な説明】
【００２０】
【図１】本発明の電気掃除機の全体を示す斜視図である。
【図２】実施例１の掃除機本体の横断面図である。
【図３】実施例１の掃除機本体の側面図である。
【図４】実施例１の掃除機本体の正面図である。
【図５】実施例１の掃除機本体の平面図である。
【図６】実施例２の掃除機本体の縦断面図である。
【図７】実施例２の掃除機本体の平面図である。
【図８】実施例２の掃除機本体の正面図である。
【図９】実施例２の掃除機本体の側面図である。
【図１０】実施例３の掃除機本体の横断面図である。
【図１１】実施例３の掃除機本体の正面図である。
【図１２】実施例３の掃除機本体の平面図である。
【図１３】実施例３の掃除機本体の側面図である。
【図１４】実施例４の掃除機本体の横断面図である。
【図１５】実施例４の掃除機本体の側面図である。
【図１６】実施例４の掃除機本体の平面図である。
【図１７】実施例５の掃除機本体の横断面図である。
【図１８】実施例５の掃除機本体の側面図である。
【図１９】実施例５の掃除機本体の正面図である。
【図２０】実施例５の掃除機本体の平面図である。
【符号の説明】
【００２１】
(10)  電気掃除機
(13)  排気口
(20)  車輪
(30)  バンパー
【図１】
2006061348.tif 000003
【図２】
2006061348.tif 000004
【図３】
2006061348.tif 000005
【図４】
2006061348.tif 000006
【図５】
2006061348.tif 000007
【図６】
2006061348.tif 000008
【図７】
2006061348.tif 000009
【図８】
2006061348.tif 000010
【図９】
2006061348.tif 000011
【図１０】
2006061348.tif 000012
【図１１】
2006061348.tif 000013
【図１２】
2006061348.tif 000014
【図１３】
2006061348.tif 000015
【図１４】
2006061348.tif 000016
【図１５】
2006061348.tif 000017
【図１６】
2006061348.tif 000018
【図１７】
2006061348.tif 000019
【図１８】
2006061348.tif 000020
【図１９】
2006061348.tif 000021
【図２０】
2006061348.tif 000022